(57)【特許請求の範囲】
【請求項１】
金属もしくはプラスチック製の薄板からなる表面材と、シート状の裏面材とで、芯材をサンドイッチした、雄雌連結部を有する本体部と、本体部の裏面材上に金属もしくはプラスチック製の薄板からなる裏面カバー材を一体に装着してなり、この裏面カバー材の幅方向一端部に本体部の雄型連結部の差込縁に係合する係合溝を形成するとともに幅方向他端部には本体部の雌型連結部の固定片に係合する係合溝を形成して裏面カバー材を本体部に一体化することを特徴とする建築用パネル。
【発明の詳細な説明】
【０００１】
【発明の属する技術分野】
本発明は、建築物、構築物の外壁として有用な建築用パネルに関するものであり、さらに詳しくは内装材を兼ね、別途内装仕上げのいらない建物の形成に有用な建築用パネルである。
【０００２】
【従来の技術】
従来、金属製やプラスチック製の表面材と紙質シート状の裏面材とで、有機系の樹脂発泡体や無機系のボードを芯材とした建築用パネルは、数多く上市されている。
【０００３】
【発明が解決しようとする課題】
しかしながら、近年は例えば工場や倉庫、車庫等では内装材を用いずに、外壁材だけで壁を形成する場合が増えてきている。このような建物に、従来技術のような建築用パネルを用いるとすると、裏面材として強度的に弱いシート状裏面材（例えば紙製）が屋内から直接現れることになり、屋内での作業や行動により、物質がぶつかったりして、ちょっとした衝撃により裏面材が破れてしまい、見栄えが悪いと共に、その部分の断熱性や強度が失われてしまう課題があった。
【０００４】
【課題を解決するための手段】
本発明はこのような課題を解決するために、シート状裏面材の表面に金属もしくはプラスチック製の薄板状裏面カバー材を一体に装着したので、従来の建築用パネルをそのまま利用でき、内装の無い建物に使用したとしても、安価で、建築用パネルの裏面側の強度を向上すると共に、美観性を向上させ、内装仕上げの無い建物にも有用に用いることのできる建築用パネルを提案するものである。
【０００５】
【発明の実施の形態】
以下に図面を用いて、本発明に係る建築用パネルＡについて詳細に説明する。図１は建築用パネルＡの代表例を示す一部切り欠き斜視図であり、建築用パネルＡは図２（ａ）の断面図に示すような表面材１、裏面材２、芯材３からなる本体部Ｂと、図２（ｂ）の断面図に示すような裏面カバー材Ｃからなる、長尺板状物である。
【０００６】
表面材１は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種や、プラスチック薄板、ＦＲＰ、塩化ビニル、ポリカーボネイト等の合成樹脂板からなるものである。
【０００７】
また、表面材１の断面形状の例としては、化粧面４と、両端を内方に屈曲させた雄側壁５、雌側壁６と、雄側壁５の先端を化粧面４と平行に突出させた差込縁７からなる雄型連結部８と、雌側壁６の先端を内方に略Ｕ字状に屈曲した差込溝９と、差込溝９の先端を外方に突出させた固定片１０とからなる雌型連結部１１とから形成したものである。
【０００８】
さらに、裏面材２としてはシート状物、例えば、アルミクラフト紙、アスファルトフェルト、金属箔、合成樹脂シート、塩化ビニルシート、ポリエチレンシート、ゴムシート、布シート、石膏紙、水酸化アルミ紙、ガラス繊維不織布、アルミニウム蒸着紙、等の１種、または２種以上をラミネートしたもの、あるいは防水処理、難燃処理されたシートなどからなるものである。
【０００９】
芯材３としては、各種合成樹脂発泡体（ポリエチレンフォーム、ユリアフォーム、ポリウレタンフォーム、ポリイソシアヌレートフォーム、フェノールフォーム等）や無機系ボード（石膏ボード、珪酸カルシウム板、水酸化アルミニウム板等）からなるものである。
【００１０】
表面材１と裏面材２は芯材３の自己接着性を利用して、もしくは別途接着剤（図示せず）等を介して一体に成形するものである。
【００１１】
裏面カバー材Ｃは図２（ｂ）に示すように、本体Ｂの裏面部と略同一形状に成形し、裏面材２上を被覆する保護面１２と、保護面１２の一端部には雄型連結部８の差込縁７に係合する差込係合溝１３を形成し、さらに他端には雌型連結部１１の固定片１０に係合する固定係合溝１４を形成したものである。
【００１２】
裏面カバー材Ｃはその差込係合溝１３を差込縁７に、固定係合溝１４を固定片１０にそれぞれ係合して一体化するものであり、工場の出荷段階で一体化したり、もしくは施工現場において、必要に応じて裏面カバー材Ｃの端部をかしめることにより、容易に一体化させることができるものである。
【００１３】
裏面カバー材Ｃの素材としては、ある程度強度があるものが好ましく、表面材１と同様な素材、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、（勿論、これらを各種色調に塗装したカラー板を含む）の一種や、プラスチック薄板、ＦＲＰ、塩化ビニル、ポリカーボネイト等の合成樹脂板からなるものである。
【００１４】
図３は、建築用パネルＡを用いた施工状態を屋内側から見た説明図であり、図４はその連結部を拡大して示した断面図である。図において、αは壁下地であり、鉄骨構造の場合は、リップ溝型鋼材、角型鋼材、Ｌ字アングル材等の型鋼材からなるものであり、木造構造の場合は胴縁材や主柱、間柱等からなるものである。
【００１５】
建築用パネルＡ同士は、本体部Ｂと裏面カバー材Ｃを一体化し、図４に示すように一方の建築用パネルＡの固定片１０をセルフドリリングスクリュウビスや釘等の固定具βを介して、壁下地αに固定し、その差込溝９にもう一方の建築用パネルＡの差込縁７を挿入、係合することにより順次連結、固定するものである。
【００１６】
この場合図３に示すように、シート状裏面材２の表面に金属薄板状の裏面カバー材Ｃを一体に装着したので、従来の建築用パネルＡをそのまま利用でき、内装を省略することができ、安価で、建築用パネルＡの裏面側の強度を向上すると共に、美観性を向上させ、内装仕上げの無い建物にも有用に用いることのできる建築用パネルＡとなるものである。
【００１７】
以上説明したのは、本発明に係る建築用パネルＡの代表例であり、図５、図６に示すような断面形状の建築用パネルＡとしたり、図７（ａ）、（ｂ）に示すような裏面カバー材Ｃを用いることもできる。
【００１８】
図７（ａ）、（ｂ）は裏面カバー材Ｃのその他の例を示す説明図であり、裏面カバー材Ｃにシート状物１５を一体に積層したものである。シート状物１５としては、防水シート、防湿シート、遮音シート、耐火シート、断熱シート等から任意に組み合わせて使用できるものであり、それぞれの機能を付加することができるものである。
【００１９】
【発明の効果】
以上説明したように、本発明に係る建築用パネルによれば、シート状裏面材の表面に金属もしくはプラスチック製の薄板状裏面カバー材を一体に装着したので、(1)従来の建築用パネルをそのまま利用できる。(2)内装の無い建物に使用したとしても、安価で、建築用パネルの裏面側の強度を向上する。(3)美観性を向上させ、内装仕上げの無い建物にも有用に用いることができる。等の特徴、効果がある。
【図面の簡単な説明】
【図１】本発明に係る建築用パネルの代表例を示す説明図である。
【図２】本発明に係る建築用パネルの代表例を示す説明図である。
【図３】建築用パネルの施工状態を示す説明図である。
【図４】建築用パネルの施工状態を示す説明図である。
【図５】本発明に係る建築用パネルのその他の例を示す説明図である。
【図６】本発明に係る建築用パネルのその他の例を示す説明図である。
【図７】裏面カバー材のその他の例を示す説明図である。
【符号の説明】
Ａ  建築用パネル
Ｂ  本体部
Ｃ  裏面カバー材
α  壁下地
β  固定具
１  表面材
２  裏面材
３  芯材
４  化粧面
５  雄側壁
６  雌側壁
７  差込縁
８  雄型連結部
９  差込溝
１０  固定片
１１  雌型連結部
１２  保護面
１３  差込係合溝
１４  固定係合溝
１５  シート状物
【図１】
0004142781.tif 000002
【図２】
0004142781.tif 000003
【図３】
0004142781.tif 000004
【図４】
0004142781.tif 000005
【図５】
0004142781.tif 000006
【図６】
0004142781.tif 000007
【図７】
0004142781.tif 000008